(57)【要約】【課題】保温効果が高く肌触りの良い吸収性物品を提供すること。【解決手段】本発明に係るパンツ型紙おむつは、トップシートと、バックシートと、これらの間に配置される吸収体とからなる吸収性本体と、物品の形状を構成する、身体側に面する内装シートと、これに対向して形成される外装シートとからなる外装体と、を備えている。着用者の腹部と背腰部に対応する、紙おむつの前後胴回り領域において、内装シート上には少なくとも１枚の補助シートが積層されている。該補助シートは、繊維径が１．０から１．５dtex以下である繊維を少なくとも７０％有する熱融着繊維からなるエアースルー不織布から形成される。【選択図】図２
2010035582.tif 000002
【特許請求の範囲】
【請求項１】
パンツ型吸収性物品であって、
トップシートと、バックシートと、これらの間に配置される吸収体とからなる吸収性本体と、前記物品の外形形状を構成する、内装シートと外装シートからなる外装体と、を含み、前記物品は、着用者の腹部と腰部に対応する前後胴回り領域と前記吸収性本体が配置される股領域を有しており、
前記前後胴回り領域において、前記内装シート上には少なくとも１枚の補助シートが積層されており、該補助シートは、繊維径が１．０から１．５dtex以下である繊維を少なくとも７０％有する熱融着繊維からなるエアースルー不織布から形成されるものであることを特徴とするパンツ型吸収性物品。
【請求項２】
請求項１に記載の吸収性物品であって、前記物品には、ウエスト開口部周縁にウエストギャザー用弾性体が複数本形成されており、前記補助シートは、前記ウエストギャザー用弾性体の下端から、前記吸収性本体のおむつ長手方向の端部の位置までの間の領域に設けられていることを特徴とする吸収性物品。
【請求項３】
請求項１に記載の吸収性物品であって、前記補助シートは、保温の必要性の高い下腹部および/または背部腰部を広く覆うように前記内装シート肌側に配設されるものであることを特徴とする吸収性物品。
【請求項４】
請求項１から３のいずれかに記載の物品であって、前記補助シートは波状形状を有することを特徴とする吸収性物品。
【請求項５】
請求項１から４のいずれかに記載の吸収性物品であって、前記補助シートの目付けは２２ｇ/ｍ2以上であり、比容積が１０ｃｍ3/ｇ以上であることを特徴とする吸収性物品。
【請求項６】
請求項１から４のいずれかに記載の吸収性物品であって、前記補助シートの目付けは２２ｇ/ｍ2以上であり、比容積が１６ｃｍ3/ｇ以上であることを特徴とする吸収性物品。
【請求項７】
請求項１から６のいずれかに記載の吸収性物品であって、前記補助シートは、前記内装シート上に複数枚積層されていることを特徴とする吸収性物品。
【請求項８】
請求項１から６のいずれかに記載の吸収性物品であって、前記補助シートは、前記外装シートと前記内装シートの間に配置されることを特徴とする吸収性物品。
【請求項９】
請求項１から８のいずれかに記載の吸収性物品であって、前記補助シートを構成する不織布は、親水化処理がなされていることを特徴とする吸収性物品。
【発明の詳細な説明】
【技術分野】
【０００１】
本発明は、吸収性物品に関する。より詳細には、本発明は、保温性と肌触りに優れた使い捨てパンツ型紙おむつのような吸収性物品に関する。
【背景技術】
【０００２】
身体を暖める、若しくは冷えないように遠赤外線を多く発する物質を不織布に練り込んだ素材を肌着等の衣類に使用することは、以前より行なわれている。例えば、特許文献１に記載の発明において、遠赤外線放射性繊維と高吸湿性繊維とを併用することにより、遠赤外線放射能が安定かつ効率よく得られる蓄熱保温材及びこれを用いた繊維製品が開示されている。しかし、繊維の技術分野において、所定の効果を発揮させるには赤外線放射物質を相当量配合する必要があるため、赤外線放射物質を使用する不織布は、一般的に高価なものであった。したがって、このような赤外線放射物質を使い捨ておむつに使用する場合には費用が高くなり、コスト面において大きな課題を有する。
【０００３】
特許文献２に開示されている発明では、紙おむつの所定の位置に水蒸気発生部が設けられており、発熱シートや発熱粉体を配置し、酸化反応で生じた熱を利用して水蒸気を発生させ、排泄のケアや、生理機能の改善を図るようになっている。しかし、特許文献２に開示された発明のように、発熱シート等を使い捨ての紙おむつに使用する場合にも同様にコストの面で大きな問題があった。
【０００４】
【特許文献１】特許出願公開番号第 特開２０００−２７０６３号公報
【特許文献２】特許出願公開番号第 特開２００８−１０４６０２号公報
【発明の開示】
【発明が解決しようとする課題】
【０００５】
-  以上のように、本件発明は、従来の発熱体等を特別に使用することなく、身体を温める、若しくは冷えないようにするといった機能を有し、保温性及び肌触りに優れた、コストの安いパンツ型紙おむつを提供するものである。
【課題を解決するための手段】
【０００６】
上記課題を解決するために、本発明に係るパンツ型紙おむつは、トップシートと、バックシートと、これらの間に配置される吸収体とからなる吸収性本体と、物品の形状を構成する、身体側に面する内装シートと、これに対向して形成される外装シートとからなる外装体と、を備え、着用者の腹部と背部にそれぞれ対応する前後胴回り領域と股部分とから構成されており、前後胴回り領域において、内装シート上には少なくとも１枚の補助シートが積層されており、該補助シートは、繊維径が１．０から１．５dtex以下である繊維を少なくとも７０％有する熱融着繊維からなるエアースルー不織布から形成されるものである。
【０００７】
本発明の紙おむつには、ウエスト開口部周縁にウエストギャザー用弾性体が複数本形成されており、補助シートは、ウエストギャザー用弾性体の下端から、吸収性本体のおむつ長手方向の端部の位置までの間の領域に設けられていればよい。
さらに別の態様において、補助シートは、保温の必要性の高い下腹部および/または背部腰部を広く覆うように内装シート上に配設されるようになっていればよい。
また、補助シートは波状形状を有するようになっていてもよく、このような形状にすることにより補助シートの面積が大きくなり、より広い範囲で保温機能を発揮できることになる。
本発明の好ましい態様において、補助シートの目付けは２２ｇ/ｍ2であり、比容積が１０ｃｍ3/ｇ以上であることが好ましく、さらに比容積が１６ｃｍ3/ｇ以上であることが好ましい。
さらに別の態様において、補助シートは、内装シート上に複数枚積層されていてもよく、さらなる保温効果が期待できる。
さらに別の態様において、補助シートは、外装シートと内装シートの間に配置されていてもよい。
本発明のさらに別の態様において、補助シートを構成する不織布は、親水化処理がなされていてもよい。
【発明の効果】
【０００８】
従来はおむつの破れや、着用時のサイドシール部の剥がれ等を防止するために、補強シートが使用されていたが、本発明に係るパンツ型吸収性物品において、このような補助シートが保温効果等をもたらすように使用されている。本発明の補助シートは、繊維径が１．０から１．５dtex以下の熱融着性繊維を７０%以上含ませ、目付け２２ｇ/ｍ2以上で比容積１０ｃｍ3/ｇ以上のエアースルー法により形成されている。このように構成することにより、本発明の紙おむつは、遠赤外線放射鉱物等を含有した紙おむつと同等の保温性を得ることができる。このエアースルー不織布は、不織布内部に多くの空気を含有することができるため優れた断熱効果を得ることができる。また、繊維の繊度が細いため、肌触りも滑らかで使用時において大きな効果を発揮する。このような不織布を着用者の身体の保温等を必要とする領域に配置することにより、冷えの防止、生理機能の活性化にも効果がある。さらに、ウエスト開口部周縁及び股下部分においては、補助シートが存在しないことにより、通気性が良く、蒸れが発生しにくくなるといった効果を発揮することができる。
さらに、本発明の紙おむつを製造する際には、紙おむつに新たに発熱体等を含ませないので、おむつ自体の構成を変更する必要ない。また製造工程において、補助シートを内装シート上に積層するだけでよいので、既存の設備を利用することができる。したがって、本発明の紙おむつを安価で容易に製造することができるが、その機能の性能は、遠赤外線放射鉱物といった発熱体を使用したものと同等か、それ以上である。
【発明を実施するための最良の形態】
【０００９】
以下、本発明の好ましい実施のいくつかの態様を添付の図を参照して説明する。以下の説明において、図面を通し同一の構成部分には同一の符号を使用する。
【００１０】
図１は、本発明に関する完全なパンツ型タイプのおむつ１０の基本構成を示す概略図である。本発明において、完全なパンツ型タイプのおむつとは、おむつの両側部が様々な結合方法によりすでにシールされており、使用時に固着テープなどで固定する必要のない予めパンツ形状に形成されたおむつのことをいう。図１を参照すると、おむつ１０の両側部においてシール部１２が形成されて完全なパンツ形状となっている。おむつ１０は、着用者の腹部に対応する前部１４と背中側に対応する後部１６及び股部１８とを含む。おむつ１０の前部１４と後部１６とにわたり、おむつのウエスト開口部周縁に配置されるウエスト領域にギャザーを形成するために複数のウエストギャザー用弾性体３４が形成されている。さらに、着用者の腹部及び腰部にわたりギャザーを形成するための弾性体３６が胴回り領域１１に、おむつの幅方向にほぼ平行な状態で複数本形成されている。また、脚部周囲にもギャザーを形成し、排泄物等の漏れを防止するために、弾性体３８が設けられている。
【００１１】
図２は、図１のおむつを展開したときのX-X線に沿った、おむつの長手方向の断面図を示している。おむつ１０は、吸収性本体２０とパンツ形状の外装体２８とから構成されている。吸収性本体２０は、トップシート２２と、防漏バックシート２６と、これらの間に配置された吸収体２４と、から構成される。図２を参照するとわかるように、吸収性本体２０は、おむつ１０のほぼ中央部分において長手方向に位置するようになっている。パンツ型おむつ１０の外形を形成する外装体２８は、外装シート３０と内装シート３２とにより構成される。
【００１２】
吸収体２４は、一般的に超吸収性材料として既知である高吸収性材料の粒子と混合された、木材パルプフラフのようなセルロースフラフのウェブの親水性繊維マトリックスを含むものであればよい。木材パルプフラフの代わりに合成繊維、ポリマー繊維などを使用してもよい。超吸収性粒子は、親水性繊維と均一に混合されていてもよいし、不均一に混合されていてもよい。超吸収性粒子の混合率は吸収体の厚みにより変えてもよいし、また超吸収性粒子の混合率を吸収体の部分によって変えるように構成してもよい。超吸収性材料は別個になった粒子の形態であることが好ましいが、様々な幾何学的形状であってもよい。超吸収性材料は、吸収体２４の重量に対し約５から９０重量%の量で吸収体２４に含まれていればよい。
【００１３】
防漏バックシート２６は、吸収体２４内において保持している液体などが下着に洩れないように防水機能をもたせるために、液体に対し不透過である材料から形成されていることが好ましい。通常、このような液体不透過性の防漏バックシート２６は、ポリエチレンフィルムなどの薄いプラスチックフィルムや、これとは別の可撓性液体不透過性材料から製造することができる。また、このような防漏バックシート２６は、吸収体からの蒸気を逃しつつ、液体が通過しないように微孔性の通気性材料から形成されていてもよい。
【００１４】
本発明に係るパンツ型おむつにおいて、トップシート２２は、液体透過性であり、着用者の皮膚から吸収体２４に吸収された液体から隔離できる材料から形成されていることが好ましい。具体的には、トップシート２２は、多孔性発泡体、網状発泡体、穿孔プラスチックフィルム、木材又は綿繊維のような天然繊維、ポリエステル又はポリプロピレン繊維のような合成繊維あるいはこれらを組合せた繊維からなる不織ウェブ材料から形成されていればよい。しかし、トップシート２２の材料は、これらに限定されるものではなく、液体透過性であり、吸収体２４に吸収され保持されている液体から着用者の皮膚を隔離することができる、一般的な不織布であってもよい。
【００１５】
胴回り及び脚部周りに形成される弾性体に適する材料は、一般的なエラストマー性材料からなるストランド、又はリボン、あるいはポリウレタン、ウレタン糸ゴム、平ゴム、合成ゴム、天然ゴム、弾性フィルムなどがある。これら弾性体をシートに取り付ける方法としては、本分野において公知のように超音波結合してもよいし、様々な結合パターンを使用したホットメルト接着剤などにより結合してもよいが、ホットメルト接着剤により接合することが好ましい。
【００１６】
補助シート４０が、ウエスト周縁部に配置される複数のウエストギャザー弾性部材３４の下端の位置から、吸収性本体２０の長手方向の端部までの間、すなわち胴周り弾性部材３６を覆うとともに前後腰周り領域１１全体を覆うようにして、内装シート３２上に設けられている。この補助シート４０は、エアースルー不織布から形成されていることが好ましい。図１では、補助シート４０が設けられた領域を網点部分として図示している。本明細書において、エアースルー不織布とは、エアースルー製法により製造された不織布を意味する。このようなエアースルー不織布は、一般的に、繊維の乾燥時に熱風による穏やかで均等な加熱が行なわれるため繊維が屈曲してより複雑に交絡しているので、嵩高で柔らかな質感を有するという特徴を有する。
【００１７】
補助シート４０についてさらに詳細に説明する。補助シート４０を構成する不織布は、繊維径が１．０から１．５dtex以下の熱融着繊維を７０％以上有する繊維をエアースルー製法により形成されたエアースルータイプの不織布である。かりに、繊維径が１．０dtex未満であると、不織布製造工程における混綿・カーディングが困難となる。一方、繊維径が１．５dtexよりも大きいと、柔軟性が低下し、風合いが損なわれる可能性がある。本発明において、エアースルー不織布の目付けは、２２ｇ/ｍ2以上であることが好ましい。保温効果を得るためには、エアースルー不織布の比容積は１０ｃｍ3/ｇ以上であることが好ましく、さらに１６ｃｍ3/ｇ以上であることが好ましい。本発明のエアースルー不織布は、保温効果を有するために、この不織布が組み込まれたおむつを使用者が使用した場合における発汗の吸収を考慮して、さらにこの不織布に親水化処理がされることが好ましい。
補助シート４０は、おむつの腰回り領域のみに使用されるだけではなく、保温性の必要性の高い、身体の下腹部や背部腰部を覆うことができるような紙おむつの領域に補助シートを配設することができる。さらに、補助シート４０を外装シート３０と内装シート３２との間に配置することができる。また、補助シート４０は、一枚のみではなく、複数枚配置して積層させ、さらに保温効果等を高めることができる。
【００１８】
図３は、本発明の紙おむつの股部分のおむつの幅方向の断面図である。図3の吸収性本体２０の吸収体２４が、抗菌脱臭シート３４により包み込まれるようになっている。吸収体２４を抗菌脱臭シート３４により包み込むことにより、使用時において排泄物が吸収された場合に、臭気が拡散することを防止することができるという有効な効果を有する。図３において、２つの吸収体２４が上下に重なり合うように吸収性本体２０内に配置されており、吸収体のそれぞれが抗菌脱臭シートで包み込まれるようになっていることが好ましいが、いずれか一方のみ脱臭シートによって包み込まれるようになっていてもよい。抗菌脱臭シートは、一例として銀、銅などの金属をゼオライト鉱物に吸着させて、シート化した抗菌脱臭シートを使用することができる。このシートは、ゼオライトの吸着性能と金属イオンによる反応により悪臭を短時間で脱臭できるようになっており、さらに、大腸菌、サルモネラ菌、黄色ぶどう球菌、ＭＲＳＡ、緑膿菌等に対する抗菌力を持つ。
また、トップシート２２と吸収体２４との間には、トランスファシートが配置されている。トランスファシートにより、トップシート２２から吸収体２４への排泄物の移動を容易にし、排泄物の吸収性能を高めることができる。
【００１９】
図４は、本発明の紙おむつの腰周り領域のおむつの幅方向の断面図である。図４を参照すると、身体に面する側から補助シート４０、内装シート３２、外装シート３０の順に積層されている。しかし、補助シート４０は、内装シート３２と外装シート３０との間に配置されていてもよい。すなわち、腰回り領域全体に補助シート４０が身体側に存在することにより、着用者の少なくとも腰部に保温効果、冷え防止といった有利な効果をもたらすことができる。また、補助シート４０は一枚だけではなく、複数枚を積層して使用するようになっていてもよい。
【００２０】
図５は、本発明に係る紙おむつの製造工程を概略的に図示している。図を参照すると、内装シート３２と吸収性本体２０上に着用者の腹部及び背部に対応する領域に補助シート４０が矢印Y方向に供給される。補助シート４０は、図５においてドット部分で表されており、腹部と背部を可能な限り広い範囲で覆うことができるように、波状４１に切断されている。このように、表面シート４０は、着用者の前後腰回り領域に対応するおむつの領域において、内装シート上に積層すればよいので、おむつの構造自体を変更する必要がない。このため、既存の紙おむつ製造のための設備の設計変更を行なうことなく、補助シート４０を紙おむつに付与することができる。
【００２１】
図６は、本発明に係るパンツの製造工程のうち、図５に図示した工程の後に続く段階の工程を示しており、図５の工程で得られた、外装シート、内装シート、補助シート及び吸収性本体からなる積層体を、機械進行方向に沿って前後２つ折りにする。次いで、紙おむつの両側部を矢印で示したZ方向に、順次サイドシールが施され、その後、そのサイドシールに沿って切断される。このようにして、本発明の紙おむつ１０が製造される。
以上のように、従来の紙おむつの製造設備に特別の変更を加えることなく容易に本発明に係る紙おむつを得ることができる。
【００２２】
図７は、図５、６で図示した製造工程により製造された、本発明に係る紙おむつ１０´の別の例を示す概略図である。おむつ１０´の腰周り領域１１´の身体に面する側の面には補助シート４０が形成されており、図１に図示した紙おむつ１０の補助シート領域と対比すると、補助シートの股部分側の境界線４１は波状になっている。
【００２３】
実施例
本発明に係る補助シートに７種類の低繊度エアースルー不織布を使用したパンツ型使い捨ておむつを作製して着用テストを行なった。このテストに使用した紙おむつは、図１から４に図示したおむつの構造と同一である。この試験は、本発明のおむつの着用前と着用後の、エアースルー不織布に接している個所の皮膚表面温度を表面温度計で測定することにより実施された。表１には、７種類の低繊度エアースルー不織布の補助シートの構成が実施例１から７として示されている。この結果が図８のグラフに示されている。
比較例１は、吸収性物品において一般に使用されているエアースルー不織布を補助シートとして使用したものであり、比較例２は遠赤外線放射鉱物が保持されたポリプロピレンスパンボンド不織布を補助シートとして使用したものである。
表１
2010035582.tif 000003
表１において、製法ATは、エアースルー法を意味し、SBはスパンボンド法を意味する略語である。不織布の物性は、JISL1906に準じて測定した。比容積（ｃｍ3/ｇ）は、厚さ(mm）/目付け（ｇ/m2)×１０００を表す、素材コストは、比較例１の単価（\/ｍ2）を１０としたときの比を表す。
【００２４】
図８を参照すると、表１の不織布を使用したときの皮膚表面温度のそれぞれがグラフで表されている。着用前の不織布が接する皮膚の温度は、実施例１から７と比較例１、２のいずれも３１．７℃であり、同一である。着用後において、実施例１から７と比較例２の皮膚温度は、３３．０℃から３３．５℃の間にあり、ほぼ同一であるといえる。比較例１のみ皮膚表面温度が約３２．１℃であり、実施例１から７の着用後の温度と対比すると低くなっている。比較例１は、吸収性物品において一般的なエアースルー不織布であるため、本願の実施例１から７において採用された細い繊維径の繊維を多く含むものに比べると、保温効果が劣っていると考えられる。比較例２において、着用後の皮膚表面温度が３３．１℃と実施例と変わらない高さであるのは、スパンボンド不織布に遠赤外線放射鉱物を使用しているからだと考えられる。すなわち、本発明の構成からなる紙おむつは、遠赤外線放射鉱物等の他の発熱体を使用しなくても、これを使用した場合と同等か、これ以上の効果が得られることを示しているといえる。また、素材コストについて、比較例２では、実施例１から７のものに比べると、４倍から３倍となっている。費用の点についても、本件発明の紙おむつは、比較例２と比較すると格段に低価格であることがわかる。
このように、本発明の紙おむつは、既存の設備の設計を変更することなく製造することができるので、発熱体等を使用した場合と同等以上の機能を発揮する紙おむつを容易に提供できるものである。
【００２５】
以上、本発明の実施例において、様々な寸法、材料などを記載してきたが、これらに限定されるものではなく、置換可能なものであれば、適宜選択し、採用することが可能である。
【図面の簡単な説明】
【００２６】
【図１】本発明の使い捨て紙おむつの全体をあらわす概略図である。
【図２】図１のX-X線に沿ったパンツ長手方向の展開断面図である。
【図３】本発明の紙おむつの股下部の断面図である。
【図４】パンツの幅方向の断面図である。
【図５】本発明の紙おむつの製造工程の一部を示す概略図であり、補助シートが紙おむつの表面シート上に供給される段階を示すものである。
【図６】本発明の紙おむつの製造工程の一部を示す概略図であり、側部シール後に切断される段階を示すものである。
【図７】図５に図示した工程により製造された紙おむつの概略図である。
【図８】本発明に係る紙おむつの実施例と比較例との使用前後の皮膚表面温度を表すグラフである。
【符号の説明】
【００２７】
１０  パンツ型おむつ
１１  胴周り領域
２０  吸収性本体
２２  表面シート
２４  吸収体
２８  外装体
３０  外装シート
３２  内装シート
４０  補助シート
【図１】
2010035582.tif 000004
【図２】
2010035582.tif 000005
【図３】
2010035582.tif 000006
【図４】
2010035582.tif 000007
【図５】
2010035582.tif 000008
【図６】
2010035582.tif 000009
【図７】
2010035582.tif 000010
【図８】
2010035582.tif 000011